(57)【要約】【課題】撮影に使用される放射線検出器の優先順位を、状況に応じて決定する。【解決手段】オーダが選択されると、判定部４７は、各放射線検出器２５、２８、３１、３４の電源が投入されているか否かの判定を行うとともに、放射線検出器２５、２８の各部に電力を供給するバッテリ２６、２９の残量の判定を行う。決定部４８は、判定部４７による判定結果に基づいて、バッテリ２６、２９の残量が不足している放射線検出器２５、２８を除外するとともに、オーダで指定された撮影の形式に適していない放射線検出器２５、２８、３１、３４を除外する。決定部４８は、判定部４７による判定結果を基に電源が投入されているか否かを考慮して、各放射線検出器２５、２８、３１、３４で撮影した場合の完了時間を相互に比較し、その完了時間が短い放射線検出器２５、２８、３１、３４からの順番を優先順位として決定する。【選択図】図７
2011206198.tif 000002
【特許請求の範囲】
【請求項１】
複数の放射線検出器の経時的に変化する状態を判定する判定部と、
前記判定部による判定結果に基づいて、オーダに基づく撮影で使用する前記放射線検出器の優先順位の決定を行う決定部とを備えていることを特徴とする放射線検出器の管理装置。
【請求項２】
電源が投入されてから使用可能になるまでに要する第一の所用時間、及び一つのオーダに基づく撮影に要する第二の所用時間を、前記放射線検出器毎に記録した第一のテーブルを備え、
前記判定部は、電源が投入されているか否かを、前記放射線検出器毎に判定し、
前記決定部は、前記第一のテーブルを参照して、電源が投入されている前記放射線検出器については前記第二の所用時間を、電源が投入されていない前記放射線検出器については前記第一及び第二の所用時間の合計を、それぞれ撮影が完了するまでに要する完了時間として相互に比較し、前記完了時間が短い前記放射線検出器からの順番を前記優先順位とすることを特徴とする請求項１に記載の放射線検出器の管理装置。
【請求項３】
一つのオーダに基づく撮影に要する電力の必要量を、バッテリの電力で駆動する前記放射線検出器毎に記録した第二テーブルを備え、
前記判定部は、バッテリの残量を、バッテリの電力で駆動する前記放射線機器毎に判定し、
前記決定部は、前記第二のテーブルを参照し、バッテリの残量が前記必要量を下回る前記放射線検出器を除外して前記決定を行うことを特徴とする請求項１又は２に記載の放射線検出器の管理装置。
【請求項４】
オーダで指定される撮影の形式に適しているか否かの適否を、前記放射線検出器毎に記録した第三のテーブルを備え、
前記決定部は、前記第三のテーブルを参照し、オーダで指定された撮影の形式に適していない前記放射線検出器を除外して前記決定を行うことを特徴とする請求項１〜３のいずれか１項に記載の放射線検出器の管理装置。
【請求項５】
複数の放射線検出器と、
前記放射線検出器の経時的に変化する状態を判定する判定部、及び前記判定部による判定結果に基づいて、オーダに基づく撮影で使用する前記放射線検出器の優先順位を決定する決定部を有する管理装置とを備えていることを特徴とする放射線検出器の管理システム。
【請求項６】
前記放射線検出器の経時的に変化する状態を判定する判定部、
及び前記判定部による判定結果に基づいて、オーダに基づく撮影で使用する前記放射線検出器の優先順位を決定する決定部として管理装置のコンピュータを機能させることを特徴とする放射線検出器の管理プログラム。
【発明の詳細な説明】
【技術分野】
【０００１】
本発明は、オーダに基づく撮影で使用する放射線検出器を決定する放射線検出器の管理装置、システム、及びプログラムに関する。
【背景技術】
【０００２】
被検者に向けて放射線（Ｘ線）を照射する放射線撮影システムが知られている。放射線撮影システムは、被検者を透過した放射線を検出する放射線検出器を備えている。放射線検出器としては、イメージングプレート（ＩＰ）や、放射線を直接画像データに変換できるフラットパネルディテクタ（ＦＰＤ）が実用化されている。ＩＰやＦＰＤには、用途に応じた種々のサイズ、型式（可搬型と固定型）のものがある。
【０００３】
特許文献１記載の放射線撮影システムは、複数の放射線検出器を備えている。この放射線撮影システムでは、被写体となる部位等、オーダを基に決定された放射線検出器が使用される。選択された放射線検出器が使用されなかった場合には、代わりとなる放射線検出器が予め決められた優先順位で決定される。優先順位にしたがって、使用する放射線検出器を選択することで、技師の手を煩わせることなく撮影を行うことができる。
【先行技術文献】
【特許文献】
【０００４】
【特許文献１】特開２００２−２０００６３号公報（段落［００６８］等）
【発明の概要】
【発明が解決しようとする課題】
【０００５】
しかしながら、放射線検出器における電源の状態等、動的な要素が考慮されておらず、実際には使用できない放射線検出器に決定される可能性があった。また、特許文献１には、どのような順序で放射線検出器が決定されるのかについて、明示的な開示がされていない。
【０００６】
本発明は、上記課題を鑑みてなされたものであり、撮影で使用する放射線検出器の優先順位を、状況に応じて決定する放射線検出器の管理装置、システム、及びプログラムを提供することを目的とする。
【課題を解決するための手段】
【０００７】
上記目的を達成するために、本発明の放射線検出器の管理装置は、複数の放射線検出器の経時的に変化する状態を判定する判定部と、前記判定部による判定結果に基づいて、オーダに基づく撮影で使用する前記放射線検出器の優先順位の決定を行う決定部とを備えていることを特徴とする。
【０００８】
電源が投入されてから使用可能になるまでに要する第一の所用時間、及び一つのオーダに基づく撮影に要する第二の所用時間を、前記放射線検出器毎に記録した第一のテーブルを備え、前記判定部は、電源が投入されているか否かを、前記放射線検出器毎に判定し、前記決定部は、前記第一のテーブルを参照して、電源が投入されている前記放射線検出器については前記第二の所用時間を、電源が投入されていない前記放射線検出器については前記第一及び第二の所用時間の合計を、それぞれ撮影が完了するまでに要する完了時間として相互に比較し、前記完了時間が短い前記放射線検出器からの順番を前記優先順位とすることが好ましい。
【０００９】
一つのオーダに基づく撮影に要する電力の必要量を、バッテリの電力で駆動する前記放射線検出器毎に記録した第二テーブルを備え、前記判定部は、バッテリの残量を、バッテリの電力で駆動する前記放射線機器毎に判定し、前記決定部は、前記第二のテーブルを参照し、バッテリの残量が前記必要量を下回る前記放射線検出器を除外して前記決定を行うことが好ましい。
【００１０】
オーダで指定される撮影の形式に適しているか否かの適否を、前記放射線検出器毎に記録した第三のテーブルを備え、前記決定部は、前記第三のテーブルを参照し、オーダで指定された撮影の形式に適していない前記放射線検出器を除外して前記決定を行うことが好ましい。
【００１１】
本発明の放射線検出器の管理システムは、複数の放射線検出器と、前記放射線検出器の経時的に変化する状態を判定する判定部、及び前記判定部による判定結果に基づいて、オーダに基づく撮影で使用する前記放射線検出器の優先順位を決定する決定部を有する管理装置とを備えていることを特徴とする。
【００１２】
本発明の放射線検出器の管理プログラムは、前記放射線検出器の経時的に変化する状態を判定する判定部、及び前記判定部による判定結果に基づいて、オーダに基づく撮影で使用する前記放射線検出器の優先順位を決定する決定部として管理装置のコンピュータを機能させることを特徴とする。
【発明の効果】
【００１３】
本発明によれば、複数の放射線検出器の経時的に変化する状態を判定し、その判定結果に基づいて、オーダに基づく撮影で使用する放射線検出器の優先順位を決定するから、オーダに基づく撮影で使用する放射線検出器の優先順位を、状況に応じて決定できる。
【図面の簡単な説明】
【００１４】
【図１】放射線検出器の管理システムの構成を概略的に示す図である。
【図２】コンソールの電気的構成を概略的に示すブロック図である。
【図３】オーダテーブルを概略的に示す図である。
【図４】第一の判定テーブルを概略的に示す図である。
【図５】第二の判定テーブルを概略的に示す図である。
【図６】第三の判定テーブルを概略的に示す図である。
【図７】放射線検出器の管理システムの作用を説明するフローチャートである。
【００１５】
図１に示すように、本発明における放射線検出器の管理システム（以下、単に管理システムという。）１１は、放射線による撮影で使用する第一、第二、第三、及び第四のモダリティ１２、１３、１４、１５と、各モダリティ１２〜１５を統括的に管理するコンソール１６とから構成されている。各モダリティ１２〜１５は、第一、第二、第三、及び第四の放射線撮影室１７、１８、１９、２０にそれぞれ配置され、コンソール１６は、各放射線撮影室１７〜２０に隣接した操作室２１に配置されている。
【００１６】
管理システム１１では、病院情報システム（ＨＩＳ：Hospital Information System）や放射線情報システム（ＲＩＳ：Radiology Information System）（いずれも図示省略）からのオーダに基づいて、撮影で使用するモダリティ１２〜１５が決定される。
【００１７】
第一のモダリティ１２は、被検者（図示省略）に放射線を照射する放射線発生器２４と、被検者を透過した放射線を検出する放射線検出器２５とから構成されている。
【００１８】
放射線発生器２４は、放射線を発生する放射線管２４ａと、放射線の照射範囲を限定するコリメータ２４ｂとからなる。放射線発生器２４は、支持装置（図示省略）によって移動自在に支持されている。放射線発生器２４は、例えば、放射線検出器２５に対面するように支持装置により移動され、コンソール１６で設定された撮影の形式（被写体となる部位等）に応じて放射線の照射範囲が変更される。
【００１９】
放射線検出器２５は、例えば半切りサイズ（３８３．５ｍｍ×４５９．０ｍｍ×１４．０ｍｍ）の可搬型ＦＰＤカセッテであり、高い取扱性及び携帯性を有している。放射線検出器２５は、例えば、ＴＦＴ（薄膜トランジスタ）が形成されたガラス基板上に、画素毎に形成された画素電極、光電電膜、及びバイアス電極が積層された構造を有している。
【００２０】
光導電膜は、アモルファスセレン等からなり、放射線の入射により、放射線の線質や線量に応じた電荷を発生する。バイアス電極と画素電極との間にはバイアス電圧が印加され、バイアス電圧によって光導電膜内に電界が生じ、光導電膜内で発生した電荷が画素電極に収集される。画素電極は、収集した電荷を蓄積するコンデンサ上部の電極を構成する。画素電極はＴＦＴに接続されており、コンデンサに蓄積された電荷はＴＦＴを介して読み出される。ＴＦＴで読み出された電荷は、Ａ／Ｄ変換器によってデジタルな画像データに変換される。
【００２１】
放射線検出器２５は、コンソール１６との間でアンテナ（図示省略）を介して無線通信を行い、画像データを含む各種データを送受信する。放射線検出器２５は、各部に電力を供給するバッテリ２６を備えている。
【００２２】
第二のモダリティ１３は、第一のモダリティ１２と同様、放射線発生器２７と放射線検出器２８とから構成されている。放射線発生器２７は、放射線発生器２４と同様、放射線管２７ａとコリメータ２７ｂとからなる。
【００２３】
放射線検出器２８は、例えば半切りサイズの固定型ＦＰＤであり、支持装置（図示省略）に固定されている。放射線検出器２８のその他の構成は、放射線検出器２５と同様であり、バッテリ２９を備えている。
【００２４】
第三のモダリティ１４は、第一のモダリティ１２と同様、放射線発生器３０と放射線検出器３１とから構成されている。放射線発生器３０は、放射線発生器２４と同様、放射線管３０ａとコリメータ３０ｂとからなる。
【００２５】
放射線検出器３１は、コンソール１６との間でケーブル３２を介して有線通信を行い、画像データを含む各種データを送受信する。放射線検出器３１は、バッテリを備えておらず、ケーブル３２を介して供給される商用電源からの電力によって駆動する。放射線検出器３１のその他の構成は、放射線検出器２５と同様である。
【００２６】
第四のモダリティ１５は、放射線発生器３３と放射線検出器３４とに加えて、放射線検出器３４から画像データを読み取る画像読取器３５を備えている。放射線発生器３３は、放射線発生器２４と同様、放射線管３３ａとコリメータ３３ｂとからなる。
【００２７】
放射線検出器３４は、例えば半切りサイズの可搬型ＩＰカセッテであり、高い取扱性及び携帯性を有している。放射線検出器３４は、放射線を透過させる材料からなるカセッテ３４ａと、カセッテ３４ａに収容されるＩＰ３４ｂとを備えている。
【００２８】
ＩＰ３４ｂは、プラスチックで形成された基板上に導電層を有し、導電層に輝尽性蛍光体が塗布された構造であり、輝尽性蛍光体は保護膜で覆われている。輝尽性蛍光体は、ヨウ化フッ化バリウム（ＢａＦＩ）等であり、放射線の入射により潜像（画像データ）が記録される。
【００２９】
画像読取器３５は、装填口３５ａを有しており、この装填口３５ａに対して放射線検出器３４が装填される。画像読取器３５は、カセッテ３４ａに付されたバーコードを読み取るバーコードリーダと、ＩＰ３４ｂの輝尽性蛍光体から潜像を読み取る走査ユニットとを備えている。輝尽性蛍光体に記録された潜像は、走査ユニットから照射される励起光を受けて、輝尽発光光として読み出される。そして、Ａ／Ｄ変換器によってデジタルな画像データに変換される。
【００３０】
画像読取器３５は、コンソール１６との間でケーブル３６を介して有線通信を行い、画像データを含む各種データを送受信する。画像読取器３５から送信される画像データには、カセッテ３４ａから読み取られたバーコードの情報が付加されており、各画像データは相互で識別可能となっている。画像読取器３５は、商用電源からの電力によって駆動する。
【００３１】
図２に示すように、コンソール１６は、制御部４１、通信部４２、画像処理部４３、ストレージ４４、表示部４５、及び操作部４６を備えている。
【００３２】
制御部４１は、例えば各種演算処理を行うＣＰＵ、このＣＰＵにおいて実行される制御プログラムや制御データ等を記憶したＲＯＭ、及びプログラムや各種データをロードして、ＣＰＵの作業用メモリに用いられるＲＡＭ等からなり、コンソール１６の各部を統括的に制御する。
【００３３】
通信部４２は、ＨＩＳ、ＲＩＳ、各モダリティ１２〜１５との間で、有線通信又は無線通信を行い、オーダや画像データを含む各種データを送受信する。
【００３４】
画像処理部４３は、各モダリティ１２〜１５から受信した画像データに各種画像処理を施す。ストレージ４４は、画像処理後の画像データを格納する。表示部４５は、ＬＣＤ等のモニタ４５ａと、各モダリティ１２〜１５で撮影された画像や、各種操作画面等をモニタ４５ａに表示させる表示制御回路４５ｂとからなる。
【００３５】
操作部４６は、キーボードやマウス等からなり、各種設定、操作に用いられる。操作部４６には、撮影を実行させる撮影スイッチが含まれる。技師は、モニタ４５ａに表示されるオーダ等にしたがって操作部４６を操作して、撮影を実行する。
【００３６】
ストレージ４４には、図３に示すオーダテーブル５１、図４に示す第一の判定テーブル５２、図５に示す第二の判定テーブル５３、及び図６に示す第三の判定テーブル５４が格納されている。
【００３７】
オーダテーブル５１には、ＨＩＳやＲＩＳからのオーダが受付順に記載される。各オーダは、オーダＩＤ、依頼元の情報（例えば、診療科の名称、医師の氏名）、被検者の情報（例えば、氏名、年齢）、撮影の形式（例えば、被写体となる部位、撮影の方向）、及び撮影のステータス（未撮影、撮影完了）等から構成される。各項目は、オーダの受付時や画像データの格納時に記載される。オーダＩＤは、撮影を実行する際に選択される。撮影は、選択されたオーダに基づいて実行される。
【００３８】
第一の判定テーブル５２には、各放射線検出器２５、２８、３１、３４のそれぞれについて、電源が投入されてから使用可能になるまでに要する時間（以下、第一の所用時間という。）、及び一つのオーダに基づく撮影に要する時間（以下、第二の所用時間という。）が予め記録されている。但し、電源の投入を必要としないＩＰカセッテである放射線検出器３４については、第一の所要時間として、画像読取器３５の電源が投入されてから画像データの読取りが可能になるまでに要する時間が予め記録されている。なお、図４では説明の都合上、符号２５、２８、３１、３４を付したが、これらは第一の判定テーブル５２を構成するものではない。
【００３９】
第二の判定テーブル５３には、バッテリ２６、２９の電力で駆動する各放射線検出器２５、２８のそれぞれについて、一つのオーダに基づく撮影に要する電力の必要量が予め記録されている。必要量は、例えば、満充電との割合、すなわち満充電の何％で記録されている。なお、図５では説明の都合上、符号２５、２８を付したが、これらは第二の判定テーブル５３を構成するものではない。
【００４０】
第三の判定テーブル５４には、各放射線検出器２５、２８、３１、３４のそれぞれについて、オーダで指定される撮影の形式（被写体となる部位、撮影の方向）に適しているか否かの適否が、その形式毎に予め記録されている。なお、図６では説明の都合上、符号２５、２８、３１、３４を付したが、これらは第三の判定テーブル５４を構成するものではない。
【００４１】
ここで図２の説明に戻る。制御部４１は、各放射線検出器２５、２８、３１、３４の経時的に変化する状態を判定する判定部４７、及び判定部４７による判定結果に基づいて、オーダに基づく撮影で使用する放射線検出器の優先順位を決定する決定部４８として機能する。
【００４２】
判定部４７は、通信部４２を制御して、各放射線検出器２５、２８、３１、３４のそれぞれに電源状態を確認する確認信号を送信する。判定部４７は、確認信号に基づく各放射線検出器２５、２８、３１、３４からの応答信号の有無に基づいて、各放射線検出器２５、２８、３１、３４の電源が投入されているか否かを判定する。
【００４３】
バッテリ２６、２９の電力で駆動する放射線検出器２５、２８からの応答信号には、バッテリ２６、２９の残量に関する情報が含まれている。判定部４７は、バッテリ２６、２９の電力で駆動する放射線検出器２５、２８からの応答信号に基づいて、バッテリ２６、２９の残量を判定する。なお、放射線検出器２５、２８に電源が投入されておらず、放射線検出器２５、２８からの応答信号が受信できない場合がある。この場合、判定部４７は、放射線検出器２５、２８に電源が投入されていたときに最後に受信していた応答信号に基づいて、バッテリ２６、２９の残量を判定する。
【００４４】
決定部４８は、第二の判定テーブル５３を参照し、判定部４７で判定されたバッテリ２６、２９の残量が、一つのオーダに基づく撮影に要する電力の必要量を下回る放射線検出器２５、２８を、オーダに基づく撮影で使用するものから除外する。
【００４５】
決定部４８は、第三の判定テーブル５４を参照し、オーダで指定された撮影の形式（被写体となる部位、撮影の方向）に適していない放射線検出器２５、２８、３１、３４を、オーダに基づく撮影で使用するものから除外する。
【００４６】
決定部４８は、第一の判定テーブル５２を参照して、判定部４７で電源が投入されていると判定された放射線検出器２５、２８、３１、３４については第二の所用時間を、判定部４７で電源が投入されていないと判定された放射線検出器２５、２８、３１、３４については第一及び第二の所用時間の合計を、それぞれ撮影が完了するまでに要する完了時間として相互に比較し、その完了時間が短い放射線検出器２５、２８、３１、３４からの順番を優先順位として決定する。
【００４７】
制御部４１は、表示制御回路４５ｂを制御して、優先順位が一番の放射線検出器２５、２８、３１、３４で撮影を実行するか否かを選択させる操作画面をモニタ４５ａに表示する。優先順位が一番の放射線検出器２５、２８、３１、３４で撮影を実行すると選択された場合、制御部４１は、その放射線検出器２５、２８、３１、３４を、撮影に使用するものと設定する。一方、優先順位が一番の放射線検出器２５、２８、３１、３４で撮影を実行しないと選択された場合、制御部４１は、表示制御回路４５ｂを制御して、優先順位が二番の放射線検出器２５、２８、３１、３４で撮影を実行するか否かを選択させる操作画面をモニタ４５ａに表示する。制御部４１は、以後において、上記と同様の処理を実行する。
【００４８】
次に、上記構成の放射線検出器の管理システム１１の作用について、図７に示すフローチャートを参照しながら説明する。操作部４６が操作されてオーダが選択される（ステップ（以下、Ｓと略す。）１１）と、制御部４１における判定部４７は、確認信号に基づく各放射線検出器２５、２８、３１、３４からの応答信号の有無に基づいて、各放射線検出器２５、２８、３１、３４の電源が投入されているか否かの判定を行う（Ｓ１２）とともに、バッテリ２６、２９の電力で駆動する放射線検出器２５、２８からの応答信号に基づいて、バッテリ２６、２９の残量の判定を行う（Ｓ１３）。
【００４９】
決定部４８は、判定部４７による判定結果に基づいて、バッテリ２６、２９の残量が不足している放射線検出器２５、２８を除外する（Ｓ１４）とともに、オーダで指定された撮影の形式に適していない放射線検出器２５、２８、３１、３４を除外する（Ｓ１５）。そして、決定部４８は、判定部４７による判定結果を基に電源が投入されているか否かを考慮して、各放射線検出器２５、２８、３１、３４で撮影した場合の完了時間を相互に比較し、その完了時間が短い放射線検出器２５、２８、３１、３４からの順番を優先順位として決定する（Ｓ１６）。
【００５０】
制御部４１は、表示制御回路４５ｂを制御して、決定部４８が決定した優先順位を基に、撮影で使用する放射線検出器２５、２８、３１、３４を選択させる操作画面をモニタ４５ａに表示する（Ｓ１７）。そして、選択された放射線検出器２５、２８、３１、３４で撮影が実行される（Ｓ１８）。
【００５１】
以上説明したように、電源の投入状態やバッテリの残量状態等、放射線検出器の経時的に変化する状態を判定し、その判定結果に基づいて、オーダに基づく撮影で使用する放射線検出器の優先順位を決定するから、オーダに基づく撮影で使用する放射線検出器の優先順位を、状況に応じて決定できる。
【００５２】
なお、上記実施形態において、ＨＩＳやＲＩＳからのオーダで、撮影に使用する放射線検出器を予め指定するようにしてもよい。この場合、管理システム１１は、オーダで指定された放射線撮影機器が撮影に不適切であると技師が判断したり、またはオーダで指定された放射線検出器が使用できないと判定部４７で判定されたりするときに、指定された放射線検出器を代替する放射線検出器の優先順位を決定する。
【符号の説明】
【００５３】
１１  放射線検出器の管理システム
２５、２８、３１、３４  放射線検出器
２６、２９  バッテリ
３５  画像読取器
４７  判定部
４８  決定部
５２  第一の判定テーブル
５３  第二の判定テーブル
５４  第三の判定テーブル
【図１】
2011206198.tif 000003
【図２】
2011206198.tif 000004
【図３】
2011206198.tif 000005
【図４】
2011206198.tif 000006
【図５】
2011206198.tif 000007
【図６】
2011206198.tif 000008
【図７】
2011206198.tif 000009